【手続補正書】
【提出日】平成15年12月11日(2003.12.11)
【手続補正１】
【補正対象書類名】明細書
【補正対象項目名】特許請求の範囲
【補正方法】変更
【補正の内容】
【特許請求の範囲】
【請求項１】
遊技における賞価値として発生した遊技媒体を遊技者に付与可能な遊技機において、
遊技機への電源供給が停止する際に、賞価値として発生した遊技媒体のうちで遊技者への付与が済んでいない未付与の遊技媒体の情報を記憶する第１の記憶手段と、
遊技機への電源供給が停止する際に遊技制御が中断されて、その中断時点での遊技の状態に関する情報を記憶する第２の記憶手段と、
前記第１の記憶手段及び前記第２の記憶手段に記憶された情報に基づいて、遊技機への電源供給が再開した際に遊技者へ新たに付与が見込まれる遊技媒体に関する情報を生成する生成手段と、
遊技媒体に関わる所定の情報を表示する遊技媒体数表示手段と、
遊技機への電源の供給停止時に前記遊技媒体数表示手段に電源を供給するバックアップ手段と、
を備え、
前記遊技媒体数表示手段は、前記遊技機への電源の供給停止時に、前記バックアップ手段から供給される電源を用いて、前記生成手段によって生成される情報を表示するように構成し、
遊技者に有利な特別遊技状態が発生しているときに、遊技機への電源供給が停止して遊技制御が中断した場合には、前記遊技媒体数表示手段に、特別遊技状態の進行状況の表示をすることを特徴とする遊技機。
【請求項２】
遊技における賞価値として発生した遊技媒体を遊技者に付与可能な遊技機において、
遊技機への電源供給が停止する際に、賞価値として発生した遊技媒体のうちで遊技者への付与が済んでいない未付与の遊技媒体の情報を記憶する第１の記憶手段と、
遊技機への電源供給が停止する際に遊技制御が中断されて、その中断時点での遊技の状態に関する情報を記憶する第２の記憶手段と、
前記第１の記憶手段及び前記第２の記憶手段に記憶された情報に基づいて、遊技機への電源供給が再開した際に遊技者へ新たに付与が見込まれる遊技媒体に関する情報を生成する生成手段と、
遊技媒体に関わる所定の情報を表示する遊技媒体数表示手段と、
遊技機への電源の供給停止時に前記遊技媒体数表示手段に電源を供給するバックアップ手段と、
を備え、
前記遊技媒体数表示手段は、前記遊技機への電源の供給停止時に、前記バックアップ手段から供給される電源を用いて、前記生成手段によって生成される情報を表示するように構成し、
遊技者に有利な特別遊技状態が発生しているときに、遊技機への電源供給が停止して遊技制御が中断した場合には、特別遊技状態が再開して新たに発生が見込まれる賞価値としての遊技媒体数と、前記未付与の遊技媒体数とを、個別に前記遊技媒体数表示手段に表示することを特徴とする遊技機。
【請求項３】
遊技における賞価値として発生した遊技媒体を遊技者に付与可能な遊技機において、
遊技機への電源供給が停止する際に、賞価値として発生した遊技媒体のうちで遊技者への付与が済んでいない未付与の遊技媒体の情報を記憶する第１の記憶手段と、
遊技機への電源供給が停止する際に遊技制御が中断されて、その中断時点での遊技の状態に関する情報を記憶する第２の記憶手段と、
前記第１の記憶手段及び前記第２の記憶手段に記憶された情報に基づいて、遊技機への電源供給が再開した際に遊技者へ新たに付与が見込まれる遊技媒体に関する情報を生成する生成手段と、
遊技媒体に関わる所定の情報を表示する遊技媒体数表示手段と、
遊技機への電源の供給停止時に前記遊技媒体数表示手段に電源を供給するバックアップ手段と、
を備え、
前記遊技媒体数表示手段は、前記遊技機への電源の供給停止時に、前記バックアップ手段から供給される電源を用いて、前記生成手段によって生成される情報を表示するように構成し、
遊技者に有利な特別遊技状態が発生しているときに、遊技機への電源供給が停止して遊技制御が中断した場合には、特別遊技状態が再開して新たに発生が見込まれる賞価値としての遊技媒体数と、前記未付与の遊技媒体数とを、合計して前記遊技媒体数表示手段に表示することを特徴とする請求項１に記載の遊技機。
【請求項４】
遊技の実行に関わる所定の操作が行われたことを検出する操作検出手段を備え、
遊技機への電源供給が再開した場合には、前記操作検出手段による遊技の実行に関わる所定の操作の検出を待たずに遊技者に対して前記未付与の遊技媒体の付与を開始し、前記操作検出手段による遊技の実行に関わる所定の操作の検出があった場合に、特別遊技状態を再開することを特徴とする請求項１から３のいずれか一つに記載の遊技機。
【手続補正２】
【補正対象書類名】明細書
【補正対象項目名】０００５
【補正方法】変更
【補正の内容】
【０００５】
【発明が解決しようとする課題】
上述したバックアップ機能を有する遊技機では、停電発生時に、払い出されていない遊技球数が遊技機内部のバックアップメモリに記憶保持されているが、記憶保持されたを外部から確認することはできなかった。
【手続補正３】
【補正対象書類名】明細書
【補正対象項目名】０００８
【補正方法】変更
【補正の内容】
【０００８】
【課題を解決するための手段】
第１の発明は、遊技における賞価値として発生した遊技媒体を遊技者に付与可能な遊技機において、遊技機への電源供給が停止する際に、賞価値として発生した遊技媒体のうちで遊技者への付与が済んでいない未付与の遊技媒体の情報を記憶する第１の記憶手段と、遊技機への電源供給が停止する際に遊技制御が中断されて、その中断時点での遊技の状態に関する情報を記憶する第２の記憶手段と、前記第１の記憶手段及び前記第２の記憶手段に記憶された情報に基づいて、遊技機への電源供給が再開した際に遊技者へ新たに付与が見込まれる遊技媒体に関する情報を生成する生成手段と、遊技媒体に関わる所定の情報を表示する遊技媒体数表示手段と、遊技機への電源の供給停止時に前記遊技媒体数表示手段に電源を供給するバックアップ手段と、を備え、前記遊技媒体数表示手段は、前記遊技機への電源の供給停止時に、前記バックアップ手段から供給される電源を用いて、前記生成手段によって生成される情報を表示するように構成し、遊技者に有利な特別遊技状態が発生しているときに、遊技機への電源供給が停止して遊技制御が中断した場合には、前記遊技媒体数表示手段に、特別遊技状態の進行状況の表示をする。


【手続補正４】
【補正対象書類名】明細書
【補正対象項目名】０００９
【補正方法】変更
【補正の内容】
【０００９】
第２の発明は、遊技における賞価値として発生した遊技媒体を遊技者に付与可能な遊技機において、遊技機への電源供給が停止する際に、賞価値として発生した遊技媒体のうちで遊技者への付与が済んでいない未付与の遊技媒体の情報を記憶する第１の記憶手段と、遊技機への電源供給が停止する際に遊技制御が中断されて、その中断時点での遊技の状態に関する情報を記憶する第２の記憶手段と、前記第１の記憶手段及び前記第２の記憶手段に記憶された情報に基づいて、遊技機への電源供給が再開した際に遊技者へ新たに付与が見込まれる遊技媒体に関する情報を生成する生成手段と、遊技媒体に関わる所定の情報を表示する遊技媒体数表示手段と、遊技機への電源の供給停止時に前記遊技媒体数表示手段に電源を供給するバックアップ手段と、を備え、前記遊技媒体数表示手段は、前記遊技機への電源の供給停止時に、前記バックアップ手段から供給される電源を用いて、前記生成手段によって生成される情報を表示するように構成し、遊技者に有利な特別遊技状態が発生しているときに、遊技機への電源供給が停止して遊技制御が中断した場合には、特別遊技状態が再開して新たに発生が見込まれる賞価値としての遊技媒体数と、前記未付与の遊技媒体数とを、個別に前記遊技媒体数表示手段に表示する。
【手続補正５】
【補正対象書類名】明細書
【補正対象項目名】００１０
【補正方法】変更
【補正の内容】
【００１０】
第３の発明は、遊技における賞価値として発生した遊技媒体を遊技者に付与可能な遊技機において、遊技機への電源供給が停止する際に、賞価値として発生した遊技媒体のうちで遊技者への付与が済んでいない未付与の遊技媒体の情報を記憶する第１の記憶手段と、遊技機への電源供給が停止する際に遊技制御が中断されて、その中断時点での遊技の状態に関する情報を記憶する第２の記憶手段と、前記第１の記憶手段及び前記第２の記憶手段に記憶された情報に基づいて、遊技機への電源供給が再開した際に遊技者へ新たに付与が見込まれる遊技媒体に関する情報を生成する生成手段と、遊技媒体に関わる所定の情報を表示する遊技媒体数表示手段と、遊技機への電源の供給停止時に前記遊技媒体数表示手段に電源を供給するバックアップ手段と、を備え、前記遊技媒体数表示手段は、前記遊技機への電源の供給停止時に、前記バックアップ手段から供給される電源を用いて、前記生成手段によって生成される情報を表示するように構成し、遊技者に有利な特別遊技状態が発生しているときに、遊技機への電源供給が停止して遊技制御が中断した場合には、特別遊技状態が再開して新たに発生が見込まれる賞価値としての遊技媒体数と、前記未付与の遊技媒体数とを、合計して前記遊技媒体数表示手段に表示する。
【手続補正６】
【補正対象書類名】明細書
【補正対象項目名】００１１
【補正方法】削除
【補正の内容】
【手続補正７】
【補正対象書類名】明細書
【補正対象項目名】００１２
【補正方法】変更
【補正の内容】
【００１２】
第４の発明は、第１〜第３の発明において、遊技の実行に関わる所定の操作が行われたことを検出する操作検出手段を備え、遊技機への電源供給が再開した場合には、前記操作検出手段による遊技の実行に関わる所定の操作の検出を待たずに遊技者に対して前記未付与の遊技媒体の付与を開始し、前記操作検出手段による遊技の実行に関わる所定の操作の検出があった場合に、特別遊技状態を再開することを特徴とする。


【手続補正８】
【補正対象書類名】明細書
【補正対象項目名】００１３
【補正方法】変更
【補正の内容】
【００１３】
【発明の作用および効果】
第１の発明の遊技機では、遊技機への電源供給が停止する際に、賞価値として発生した遊技媒体のうちで遊技者への付与が済んでいない未付与の遊技媒体の情報を記憶する第１の記憶手段と、遊技機への電源供給が停止する際に遊技制御が中断されて、その中断時点での遊技の状態に関する情報を記憶する第２の記憶手段と、前記第１の記憶手段及び前記第２の記憶手段に記憶された情報に基づいて、遊技機への電源供給が再開した際に遊技者へ新たに付与が見込まれる遊技媒体に関する情報を生成する生成手段と、遊技媒体に関わる所定の情報を表示する遊技媒体数表示手段と、遊技機への電源の供給停止時に前記遊技媒体数表示手段に電源を供給するバックアップ手段と、を備え、前記遊技媒体数表示手段は、前記遊技機への電源の供給停止時に、前記バックアップ手段から供給される電源を用いて、前記生成手段によって生成される情報を表示するように構成し、遊技者に有利な特別遊技状態が発生しているときに、遊技機への電源供給が停止して遊技制御が中断した場合には、前記遊技媒体数表示手段に、特別遊技状態の進行状況  の表示をするので、停電によって遊技が中断してしまった場合でも、本来ならば遊技者に付与されるべきであった遊技媒体数を、停電時の遊技状態に対応して表示するので、遊技機が停電から復帰できない場合の保証をすることができる。また、特別遊技状態発生から停電発生までの特別遊技の経過を遊技者が理解することができる。
【手続補正９】
【補正対象書類名】明細書
【補正対象項目名】００１４
【補正方法】変更
【補正の内容】
【００１４】
第２の発明の遊技機では、遊技機への電源供給が停止する際に、賞価値として発生した遊技媒体のうちで遊技者への付与が済んでいない未付与の遊技媒体の情報を記憶する第１の記憶手段と、遊技機への電源供給が停止する際に遊技制御が中断されて、その中断時点での遊技の状態に関する情報を記憶する第２の記憶手段と、前記第１の記憶手段及び前記第２の記憶手段に記憶された情報に基づいて、遊技機への電源供給が再開した際に遊技者へ新たに付与が見込まれる遊技媒体に関する情報を生成する生成手段と、遊技媒体に関わる所定の情報を表示する遊技媒体数表示手段と、遊技機への電源の供給停止時に前記遊技媒体数表示手段に電源を供給するバックアップ手段と、を備え、前記遊技媒体数表示手段は、前記遊技機への電源の供給停止時に、前記バックアップ手段から供給される電源を用いて、前記生成手段によって生成される情報を表示するように構成し、遊技者に有利な特別遊技状態が発生しているときに、遊技機への電源供給が停止して遊技制御が中断した場合には、特別遊技状態が再開して新たに発生が見込まれる賞価値としての遊技媒体数と、前記未付与の遊技媒体数とを、個別に前記遊技媒体数表示手段に表示するので、電源供給再開後の特別遊技状態にて、遊技者に付与される遊技媒体数を、遊技者に理解させることができるとともに、電源供給再開後の特別遊技状態によって新たに発生が見込まれる遊技媒体数と未付与の遊技媒体数とを合わせた、実質的に遊技者に付与すべき遊技媒体数を認識することができる。
【手続補正１０】
【補正対象書類名】明細書
【補正対象項目名】００１５
【補正方法】変更
【補正の内容】
【００１５】
第３の発明の遊技機では、遊技機への電源供給が停止する際に、賞価値として発生した遊技媒体のうちで遊技者への付与が済んでいない未付与の遊技媒体の情報を記憶する第１の記憶手段と、遊技機への電源供給が停止する際に遊技制御が中断されて、その中断時点での遊技の状態に関する情報を記憶する第２の記憶手段と、前記第１の記憶手段及び前記第２の記憶手段に記憶された情報に基づいて、遊技機への電源供給が再開した際に遊技者へ新たに付与が見込まれる遊技媒体に関する情報を生成する生成手段と、遊技媒体に関わる所定の情報を表示する遊技媒体数表示手段と、遊技機への電源の供給停止時に前記遊技媒体数表示手段に電源を供給するバックアップ手段と、を備え、前記遊技媒体数表示手段は、前記遊技機への電源の供給停止時に、前記バックアップ手段から供給される電源を用いて、前記生成手段によって生成される情報を表示するように構成し、遊技者に有利な特別遊技状態が発生しているときに、遊技機への電源供給が停止して遊技制御が中断した場合には、特別遊技状態が再開して新たに発生が見込まれる賞価値としての遊技媒体数と、前記未付与の遊技媒体数とを、合計して前記遊技媒体数表示手段に表示するので  、電源供給再開後の特別遊技状態にて、遊技者に付与される遊技媒体数を、遊技者に理解させることができるとともに、電源供給再開後の特別遊技状態によって新たに発生が見込まれる遊技媒体数と未付与の遊技媒体数とを合わせた、実質的に遊技者に付与すべき遊技媒体数を認識することができる。


【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】変更
【補正の内容】
【００１７】
第４の発明では、遊技の実行に関わる所定の操作が行われたことを検出する操作検出手段を備え、遊技機への電源供給が再開した場合には、操作検出手段による遊技の実行に関わる所定の操作の検出を待たずに遊技者に対して未付与の遊技媒体の付与を開始し、操作検出手段による遊技の実行に関わる所定の操作の検出があった場合に、特別遊技状態を再開するので、遊技者の離席中に特別遊技状態が再開して、特別遊技状態のチャンスを失うことが防止できるとともに、電源供給再開後から特別遊技状態再開までの時間に未付与の遊技媒体の付与を開始すれば、再開された特別遊技中に発生した遊技媒体を迅速に付与することができる。